(57)【要約】【課題】能率の異なるスピーカーまたは利得の異なる増幅器を切り替えて使用する場合、それぞれの再生音圧レベルが等しくなるようにする。またスピーカーまたは増幅器を切り替える瞬間に発生するノイズを低減する。【解決手段】スピーカー切り替えスイッチまたは増幅器切り替えスイッチの動作状態に応じて、不揮発性メモリに格納した利得補正値を使って、可変利得増幅器の利得を調整する。スピーカーまたは増幅器を切り替える前に、可変利得増幅器の利得を減少し、スピーカーまたは増幅器を切り替えた後、可変利得増幅器の利得を適切な値に設定する。【選択図】図１
2015090990.tif 000002
【特許請求の範囲】
【請求項１】
音響装置であって、スピーカー切り替えスイッチと、可変利得増幅器と、前記スピーカー切り替えスイッチの動作状態に応じて、前記可変利得増幅器の利得を調整する利得調整手段を有する音響装置。
【請求項２】
請求項１の音響装置であって、前記スピーカー切り替えスイッチは、メカニカルスイッチまたはリレーまたは半導体スイッチである音響装置。
【請求項３】
請求項１の音響装置であって、前記利得調整手段の、利得の調整値の変更が可能な音響装置。
【請求項４】
請求項１の音響装置であって、さらに不揮発性メモリを設けて、前記利得の調整値を前記不揮発性メモリに保持することが可能な音響装置。
【請求項５】
請求項１の音響装置であって、前記スピーカー切り替えスイッチと、前記可変利得増幅器と、前記スピーカー切り替えスイッチの動作状態に応じて前記可変利得増幅器の利得を調整する前記利得調整手段が、電力増幅器と同一の筐体に搭載されている音響装置。
【請求項６】
請求項１の音響装置であって、前記スピーカー切り替えスイッチを切り替える前に、前記可変利得増幅器の利得を減少し、前記スピーカー切り替えスイッチを切り替えた後、前記スピーカー切り替えスイッチの動作状態に応じて、前記可変利得増幅器の利得を調整する音響装置。
【請求項７】
音響装置であって、増幅器切り替えスイッチと、可変利得増幅器と、前記増幅器切り替えスイッチの動作状態に応じて前記可変利得増幅器の利得を調整する利得調整手段を有する音響装置。
【請求項８】
請求項７の音響装置であって、前記増幅器切り替えスイッチはメカニカルスイッチまたはリレーまたは半導体スイッチである音響装置。
【請求項９】
請求項７の音響装置であって、前記利得調整手段の、利得の調整値の変更が可能な音響装置。
【請求項１０】
請求項７の音響装置であって、さらに不揮発性メモリを設けて、前記利得の調整値を前記不揮発性メモリに保持することが可能な音響装置。
【請求項１１】
請求項７の音響装置であって、増幅器切り替えスイッチを切り替える前に、前記可変利得増幅器の利得を減少し、前記増幅器切り替えスイッチを切り替えた後、前記増幅器切り替えスイッチの動作状態に応じて前記可変利得増幅器の利得を調整する音響装置。
【請求項１２】
請求項１の前記スピーカー切り替えスイッチと請求項７の前記増幅器切り替えスイッチが同一の筐体に搭載されている音響装置。
【請求項１３】
請求項１２の音響装置であって、前記可変利得増幅器と前記利得調整手段それぞれ一つである音響装置。 
【発明の詳細な説明】
【技術分野】
【０００１】
本発明はスピーカー切り替え機能または増幅器切り替え機能を有する音響機器に関する。
【背景技術】
【０００２】
複数のスピーカーを切り替えて、音声を再生するための、スピーカー切り替え装置および、スピーカー切り替え機能を有する増幅器が実用に供されている。また複数の増幅器を切り替えて、音声を再生するための、増幅器切り替え装置が実用に供されている。さらにスピーカー切り替え装置と、増幅器切り替え装置を組み合わせた増幅器・スピーカー切り替え装置も実用に供されている。
【０００３】
しかし音響装置にスピーカー切り替え装置または、スピーカー切り替え機能を有する増幅器、または増幅器・スピーカー切り替え装置（以下これらの装置のスピーカー切り替え機能をスピーカー切り替え装置と総称する）を組み込み、スピーカー切り替え装置に能率の異なる複数のスピーカーを接続し、スピーカーを切り替えると、スピーカーから再生される音圧レベルが異なるので、音圧レベルを等しくするために、手動で増幅器の利得を調整しなければならないという問題がある。
【０００４】
また、音響装置に増幅器切り替え装置または増幅器・スピーカー切り替え装置（以下これらの装置の増幅器切り替え機能を、増幅器切り替え装置と総称する）を組み込み、増幅器切り替え装置に利得の異なる増幅器を接続し、増幅器を切り替えると、スピーカーから再生される音圧レベルが異なるので、音圧レベルを等しくするために、手動で増幅器の利得を調整しなければならないという問題がある。
【０００５】
また音響装置にスピーカー切り替え装置を組み込み、音声を再生中に、スピーカーを切り替えると、スピーカーからノイズが発生するという問題がある。
【０００６】
また音響装置に増幅器切り替え装置を組み込み、音声を再生中に、増幅器を切り替えると、スピーカーからノイズが発生するという問題がある。
【先行技術文献】
【非特許文献】
【０００７】
【非特許文献１】有限会社 オーディオデザイン、 “セレクターHASシリーズ 製品情報”、[online]、[平成25年11月4日検索]、インターネット（ＵＲＬ：http://www.audiodesign.co.jp/HAS.htm）
【非特許文献２】株式会社 ディーアンドエムホールディングス、 “プリメインアンプPM11-S3製品情報  仕様  音声入出力端子  スピーカー出力 ”、[online]、[平成25年11月4日検索]、インターネット（ＵＲＬ：http://www.marantz.jp/jp/Products/Pages/ProductDetails.aspx?CatId=HiFi&SubCatId=Amplifier&ProductId=PM11S3#.UnbJ6Pm-3Al  ）
【発明の概要】
【発明が解決しようとする課題】
【０００８】
解決しようとする問題点は、スピーカー切り替え装置に、能率の異なる複数のスピーカーを接続し、スピーカーを切り替えた場合に、スピーカーの再生音圧レベルが異なる点である。
【０００９】
また、増幅器切り替え装置に、利得の異なる複数の増幅器を接続し、増幅器を切り替えた場合に、スピーカーの再生音圧レベルが異なる点である。
【００１０】
またスピーカー切り替え装置において音声を再生中に、スピーカーを切り替えると、スピーカーからノイズが発生する点である。
【００１１】
また増幅器切り替え装置において、音声を再生中に、増幅器を切り替えると、スピーカーからノイズが発生する点である。
【課題を解決するための手段】
【００１２】
本発明は、音響装置であって、スピーカー切り替えスイッチと、可変利得増幅器と、前記スピーカー切り替えスイッチの動作状態に応じて、前記可変利得増幅器の利得を調整する利得調整手段を有する音響装置に関する。
【００１３】
この音響装置において、前記スピーカー切り替えスイッチは、メカニカルスイッチまたはリレーまたは半導体スイッチである音響装置であってもよい。
【００１４】
この音響装置において、前記利得調整手段の、利得の調整値の変更が可能な音響装置であってもよい。
【００１５】
この音響装置において、さらに不揮発性メモリを設けて、前記利得の調整値を前記不揮発性メモリに保持することが可能な音響装置であってもよい。
【００１６】
この音響装置において、前記スピーカー切り替えスイッチと、前記可変利得増幅器と、前記スピーカー切り替えスイッチの動作状態に応じて前記可変利得増幅器の利得を調整する前記利得調整手段が、電力増幅器と同一の筐体に搭載されている音響装置であってもよい。
【００１７】
この音響装置において、前記スピーカー切り替えスイッチを切り替える前に、前記可変利得増幅器の利得を減少し、前記スピーカー切り替えスイッチを切り替えた後、前記スピーカー切り替えスイッチの動作状態に応じて、前記可変利得増幅器の利得を調整する音響装置であってもよい。
【００１８】
本発明は、音響装置であって、増幅器切り替えスイッチと、可変利得増幅器と、前記増幅器切り替えスイッチの動作状態に応じて前記可変利得増幅器の利得を調整する利得調整手段を有する音響装置に関する。
【００１９】
この音響装置において、前記増幅器切り替えスイッチはメカニカルスイッチまたはリレーまたは半導体スイッチである音響装置であってもよい。
【００２０】
この音響装置において、前記利得調整手段の、利得の調整値の変更が可能な音響装置であってもよい。
【００２１】
この音響装置において、さらに不揮発性メモリを設けて、前記利得の調整値を前記不揮発性メモリに保持することが可能な音響装置であってもよい。
【００２２】
この音響装置において、増幅器切り替えスイッチを切り替える前に、前記可変利得増幅器の利得を減少し、前記増幅器切り替えスイッチを切り替えた後、前記増幅器切り替えスイッチの動作状態に応じて前記可変利得増幅器の利得を調整する音響装置であってもよい。
【００２３】
この音響装置において前記スピーカー切り替えスイッチと前記増幅器切り替えスイッチが同一の筐体に搭載されている音響装置であってもよい。
【００２４】
このスピーカー切り替えスイッチと前記増幅器切り替えスイッチが同一の筐体に搭載されている音響装置において、前記可変利得増幅器と前記利得調整手段それぞれ一つである音響装置であってもよい。 
【発明の効果】
【００２５】
本発明のスピーカー切り替え装置は、スピーカー切り替えスイッチの動作状態に応じて、可変利得増幅器の利得を調整するので、能率の異なる複数のスピーカーを接続して切り替えた場合に、手動で調整せずにそれぞれのスピーカーを同じ音圧レベルで再生することができるという利点がある。
【００２６】
本発明の増幅器切り替え装置は、増幅器切り替えスイッチの動作状態に応じて、可変利得増幅器の利得を調整するので、利得の異なる複数の増幅器を接続して切り替えた場合に、手動で調整せずにそれぞれの増幅器でスピーカーを同じ音圧レベルで再生することができるという利点がある。
【００２７】
本発明のスピーカー切り替え装置は、スピーカーを切り替える時に、可変利得増幅器の利得を減少するので、スピーカーを切り替える瞬間に発生するノイズを減らすことができるという利点がある。
【００２８】
本発明の増幅器切り替え装置は、増幅器を切り替える時に、可変利得増幅器の利得を減少するので、増幅器を切り替える瞬間に発生するノイズを減らすことができるという利点がある。
【図面の簡単な説明】
【００２９】
【図１】実施の形態のスピーカー切り替え装置を含む音響装置の一例を示すブロック図。
【図２】従来のスピーカー切り替え装置を含む音響装置のブロック図。
【図３】従来の増幅器切り替え装置を含む音響装置のブロック図。
【図４】従来の増幅器・スピーカー切り替え装置を含む音響装置のブロック図。
【図５】従来のスピーカー切り替え装置の構成図。
【図６】従来の増幅器切り替え装置の構成図。
【図７】従来の増幅器・スピーカー切り替え装置の構成図。
【図８】実施の形態の利得調整手段の一例を示す構成図。
【図９】実施の形態のスピーカー切り替えスイッチの一例を示す構成図。
【図１０】実施の形態の利得調整手段の一例を示すフローチャート。
【図１１】実施の形態の利得調整手段の一例を示すフローチャート。
【図１２】実施の形態の利得の調整値の変更の一例を示すフローチャート。
【発明を実施するための形態】
【００３０】
以下、本発明の実施の形態について図面を用いて詳細に説明する。なお以下に説明する実施の形態は、特許請求の範囲に記載された本発明の内容を限定するものではない。また以下で説明される構成などの全てが本発明の必須構成要件であるとは限らない。
【００３１】
本発明の実施の形態の説明に先立って、従来のスピーカー切り替え装置および増幅器切り替え装置および増幅器・スピーカー切り替え装置の構成を説明し、スピーカー切り替え装置を含む音響装置の実施の形態のみ説明すれば、増幅器切り替え装置を含む音響装置の動作および増幅器・スピーカー切り替え装置を含む音響装置の動作が容易に推測できることを示す。
【００３２】
図２は、従来のスピーカー切り替え装置を含む音響装置の一例を示すブロック図である。ソース機器１１はＣＤプレイヤー、チューナーなど音声を出力する機器である。前置増幅器２１はソース機器１１から供給される音声信号を増幅し信号レベルを調整するための増幅器である。電力増幅器１３は前置増幅器２１から供給される音声信号をスピーカーを駆動するのに充分な電力に増幅するための増幅器である。スピーカー切り替え装置２２は、スピーカー１６ａ、スピーカー１６ｂ、スピーカー１６ｃの中から単一のスピーカーを選択して、電力増幅器１３の出力と接続するための装置である。スピーカー１６ａ、スピーカー１６ｂ、スピーカー１６ｃは電力増幅器から供給された電気信号を空気の疎密波に変換する装置である。図２では前置増幅器２１と電力増幅器１３が独立しているが一体化していてもよい。
【００３３】
図３は、従来の増幅器切り替え装置を含む音響装置の一例を示すブロック図である。ソース機器１１はＣＤプレイヤー、チューナーなど音声を出力する機器である。前置増幅器２１はソース機器１１から供給される音声信号を増幅し信号レベルを調整するための増幅器である。電力増幅器１３ａ、電力増幅器１３ｂ、電力増幅器１３ｃは前置増幅器２１から供給される音声信号をスピーカーを駆動するのに充分な電力に増幅するための増幅器である。増幅器切り替え装置３１は電力増幅器１３a、電力増幅器１３ｂ、電力増幅器１３ｃの中から単一の電力増幅器を選択してスピーカー１６と接続するための装置である。スピーカー１６は電力増幅器から供給される電気信号を空気の疎密波に変換する装置である。図３では前置増幅器２１と電力増幅器１３a、電力増幅器１３ｂ、電力増幅器１３ｃが独立しているが前置増幅器２１と電力増幅器のうちのどれか一つが一体化していてもよい。
【００３４】
図４は、従来の増幅器・スピーカー切り替え装置を含む音響装置の一例を示すブロック図である。ソース機器１１はＣＤプレイヤー、チューナーなど音声を出力する機器である。前置増幅器２１はソース機器１１から供給される音声信号を増幅し信号レベルを調整するための増幅器である。電力増幅器１３ａ、電力増幅器１３ｂ、電力増幅器１３ｃは前置増幅器２１から供給される音声信号をスピーカーを駆動するのに充分な電力に増幅するための増幅器である。増幅器・スピーカー切り替え装置４１は電力増幅器１３ａ、電力増幅器１３ｂ、電力増幅器１３ｃの中からから単一の電力増幅器を選択し、スピーカー１６ａ、スピーカー１６ｂ、スピーカー１６ｃの中から単一のスピーカーを選択し、選択された電力増幅器の出力と、選択されたスピーカーを接続するためのスイッチである。スピーカー１６ａ、スピーカー１６ｂ、スピーカー１６ｃは電力増幅器から供給される電気信号を空気の疎密波に変換する装置である。図４では前置増幅器２１と電力増幅器１３ａ、電力増幅器１３ｂ、電力増幅器１３ｃが独立しているが前置増幅器２１と電力増幅器のうちのどれかが一体化していてもよい。
【００３５】
図５は図２に示すスピーカー切り替え装置２２の内部構成を示す。入力端子２２１に入力された音声信号がスイッチ２２２、スイッチ２２３、スイッチ２２４で選択されて出力端子２２５、出力端子２２６、出力端子２２７のいずれか一つに出力される。スイッチ２２２、スイッチ２２３、スイッチ２２４は、メカニカルスイッチまたはリレーまたは半導体スイッチで構成される。
【００３６】
図６は図３に示す増幅器切り替え装置３１の内部構成を示す。入力端子３１１、入力端子３１２、入力端子３１３に入力された音声信号が、スイッチ３１４、スイッチ３１５、スイッチ３１６で選択されて出力端子３１７に出力される。スイッチ３１４、スイッチ３１５、スイッチ３１６はメカニカルスイッチまたはリレーまたは半導体スイッチで構成される。
【００３７】
図７は図４に示す増幅器・スピーカー切り替え装置４１の内部構成を示す。入力端子４１１、入力端子４１２、入力端子４１３に入力された音声信号が、スイッチ４１４、スイッチ４１５、スイッチ４１６で選択されて、さらにスイッチ４１７、スイッチ４１８、スイッチ４１９で選択されて出力端子４１ａ、出力端子４１ｂ、出力端子４１ｃに出力される。スイッチ４１４、スイッチ４１５、スイッチ４１６，スイッチ４１７、スイッチ４１８、スイッチ４１９はメカニカルスイッチまたはリレーまたは半導体スイッチで構成される。
【００３８】
図５、図６に示すようにスピーカー切り替え装置と増幅器切り替え装置は入力端子と出力端子が左右反転しているだけで構成は同じである。また図７に示すように増幅器・スピーカー切り替え装置は増幅器切り替え装置とスピーカー切り替え装置を直列に接続した構成である。このように増幅器切り替え装置、増幅器・スピーカー切り替え装置はスピーカー切り替え装置と同じ構造でありスピーカー切り替え装置の実施の形態を説明すれば他の切り替え装置の実施の形態は容易に推測できるのでスピーカー切り替え装置を含む音響装置についてのみ以下に説明する。
【００３９】
図１によりスピーカー切り替え装置を含む音響装置の実施の形態を説明する。
ソース機器１１はＣＤプレイヤー、チューナーなど音声を出力する機器である。前置増幅器１２はソース機器１１から供給される音声信号を増幅し信号レベルを調整するための増幅器である。電力増幅器１３は前置増幅器１２から供給される音声信号をスピーカーを駆動するのに充分な電力に増幅するための増幅器である。この例では前置増幅器１２と電力増幅器１３が独立しているが一体化されていてもよい。スピーカー切り替え装置１４は、スピーカー１６ａ、スピーカー１６ｂ、スピーカー１６ｃの中から単一のスピーカーを選択して、パワーアンプ１３の出力と接続するための装置である。スピーカー選択信号１５は前置増幅器１２からスピーカー切り替え装置１４に、スピーカー番号を送信するための信号線である。この例では切り替え可能なスピーカーの台数は３台であるが、スピーカーの台数は何台でもよい。また電力増幅器１３とスピーカー切り替え装置１４が一体化されていてもよい。
【００４０】
図１の音響装置を使用するユーザーは前置増幅器１２を操作して使用するスピーカーの番号を選択する。この時、前置増幅器１２は使用するスピーカーの番号をスピーカー選択信号１５を通してスピーカー切り替え装置１４に送信する。スピーカー切り替え装置は、スピーカー選択信号１５を通して受信したスピーカー番号にしたがい、スピーカー１６ａ、スピーカー１６ｂ、スピーカー１６ｃのうち一つを選択する。前置増幅器１２は、スピーカー切り替え装置１４にスピーカーの番号を送信すると同時に、スピーカーの番号に応じて前置増幅器１２の利得を調整する。この例では、ユーザーが前置増幅器１２を操作して、前置増幅器１２からスピーカー切り替え装置１４に、スピーカー番号を送信しているが、ユーザーがスピーカー切り替え装置１４を操作して、スピーカー切り替え装置１４から前置増幅器１２にスピーカーの番号を送信してもよい。
【００４１】
図８を使って図１に示す前置増幅器１２の構成と利得調整手段の動作を説明する。
可変利得増幅器１２１は、シリアルインターフェースなどにより利得を調整することが可能な増幅器である。可変利得増幅器は、固定利得増幅器と分圧抵抗などを組み合わせて実現してもよい。ＭＣＵ１２２は前置増幅器１２の制御を行うためのマイクロコントローラであり、制御ソフトウェアはＭＣＵ１２２内部のメモリに格納されている。ＭＣＵ１２２はシリアルインターフェースを通して可変利得増幅器１２１の利得を調整できる。入力装置１２３はユーザーの操作を受け取りＭＣＵ１２２に伝える。入力装置１２３の例としてはスイッチ、キーボード、可変抵抗器、リモコンの受信機などがある。不揮発性メモリ１２４はＭＣＵ１２２により書き込みおよび読み出しができるメモリであり、電源を切断しても内容が保持される。出力ポート１２５はＭＣＵ１２２からスピーカー選択信号１５にスピーカー番号を送信するための出力ポートである。
【００４２】
図９を使って図１に示すスピーカー切り替え装置１４の構成を説明する。１４１および１４２および１４３がスピーカー切り替えスイッチである。スピーカー切り替えスイッチ１４１の内部のみ図示しているが、スピーカー切り替えスイッチ１４２、スピーカー切り替えスイッチ１４３の内部構成も、スピーカー切り替えスイッチ１４１と同じである。入力端子１４４には電力増幅器１３の出力を接続する。１４５、１４６、１４７はスピーカー１６ａ，スピーカー１６ｂ，スピーカー１６ｃと接続する出力端子である。ＭＣＵ１４８は、スピーカー選択信号１５を通して送信されるスピーカー番号を受信し、スピーカー切り替えスイッチ１４１、スピーカー切り替えスイッチ１４２、スピーカー切り替えスイッチ１４３の制御を行うためのマイクロコントローラであり、制御ソフトウェアはＭＣＵ１４８内部のメモリに格納されている。通常スピーカー切り替えスイッチ１４１、スピーカー切り替えスイッチ１４２、スピーカー切り替えスイッチ１４３のうち一つのみ導通状態になるが、複数のスイッチが同時に導通状態になってもよい。この例ではスピーカー選択信号１５の本数を減らすためにＭＣＵ１４８を使用しているが、ＭＣＵ１４８を使用せず、スピーカー切り替え信号１５でスピーカー切り替えスイッチ１４１、スピーカー切り替えスイッチ１４２、スピーカー切り替えスイッチ１４３を直接制御してもよい。
【００４３】
次にスピーカー切り替えスイッチ１４１の説明を行う。スピーカー切り替えスイッチ１４１にはＭＯＳ−ＦＥＴ１４１１、ＭＯＳ−ＦＥＴ１４１２、ＭＯＳ−ＦＥＴ１４１３、ＭＯＳ−ＦＥＴ１４１４を使用する。ＭＯＳ−ＦＥＴは図９に示す通り、ドレインとソース間に寄生ダイオードが存在するので、スイッチとして使用するために図９のようにＭＯＳ−ＦＥＴを直列接続する。また電力増幅器１３の出力の干渉やノイズの混入を防ぐために、切り替えスイッチ１４１はプラス側、マイナス側の両方にＭＯＳ−ＦＥＴのスイッチが挿入されている。しかしどちらか一方のみにＭＯＳ−ＦＥＴのスイッチを挿入してもよい。使用するスイッチはメカニカルスイッチまたはリレーでもよい。ＭＯＳ−ＦＥＴを制御する制御手段１４１５は、ＭＯＳ−ＦＥＴ１４１１と１４１２のゲートとソース間に、ＭＯＳ−ＦＥＴがオンするために必要な電圧を供給する。また制御手段１４１６は、ＭＯＳ−ＦＥＴ１４１３と１４１４のゲートとソース間に、ＭＯＳ−ＦＥＴがオンするために必要な電圧を供給する。ＭＯＳ−ＦＥＴ１４１１、１４１２、１４１３、１４１４が導通している時ソース電圧は、電力増幅器１３の出力電圧と等しいので、音声信号と共に変化する。制御手段１４１５と１４１６は、ＭＯＳ−ＦＥＴのソース電圧が変化しても、ＭＯＳ−ＦＥＴのゲートとソース間に、ＭＯＳ−ＦＥＴがオンするために必要な電圧を供給する。一例としてフローティング電源やフォトカプラーなどが制御手段として使用できる。
【００４４】
図１０により、スピーカー選択操作を行う場合の、前置増幅器１２の動作を説明する。
【００４５】
ユーザーが前置増幅器１２の入力装置１２３を操作して、スピーカーの選択を行う。（ステップＳ１０）
【００４６】
ＭＣＵ１２２が可変利得増幅器１２１の利得を０に設定する。（ステップＳ２０）
【００４７】
ＭＣＵ１２２が基準利得を変数Xに格納する。（ステップＳ３０）
【００４８】
ＭＣＵ１２２が、ユーザーにより選択されたスピーカー番号Ｎを、出力ポート１２５とスピーカー選択信号１５を通して、スピーカー切り替え装置１４に送信する。スピーカー番号Ｎを受信したスピーカー切り替え装置１４のＭＣＵ１４８は、スピーカー番号Ｎに対応したスイッチを導通し、それ以外のスイッチを遮断する。（ステップＳ４０）
【００４９】
選択されたスピーカーが基準スピーカーか判断する。この例ではスピーカー番号１を基準スピーカーとしている。基準スピーカーの場合は、ステップＳ８０へ進む。基準スピーカー以外の場合はステップＳ６０へ進む。（ステップＳ５０）
【００５０】
ＭＣＵ１２２は、選択したスピーカー番号Ｎの利得補正値を、不揮発性メモリ１２４から読み出す。（ステップＳ６０）
【００５１】
ＭＣＵ１２２は、不揮発メモリ１２４から読み出した利得補正値と基準利得を加算し、変数Ｘに格納する。（ステップＳ７０）
【００５２】
ＭＣＵ１２２は、変数Ｘの値を可変利得増幅器１２１に設定する。
スピーカー切り替え装置１４のスピーカー切り替え時間がかかる場合は、必要な時間待ってから可変利得増幅器１２１に加算結果を設定する。（ステップＳ８０）
【００５３】
以上の動作により、基準スピーカーが選択されている時は、基準利得を可変利得増幅器に設定し、基準スピーカー以外のスピーカーが選択されている時は、基準利得と利得補正値を加算した利得を可変利得増幅器に設定するので、スピーカーの能率に応じて前置増幅器１２の利得を調整することができる。
ステップＳ２０で、可変利得増幅器１２１の利得を０に設定することにより、スピーカーを切り替える瞬間にスピーカーに印加する電圧を０にする。
これによりスピーカー切り替え時のノイズを減少させることができる。
【００５４】
図１１により、前置増幅器の利得を調整する場合の動作を説明する。
【００５５】
ユーザーが音量調整の操作を行う。（ステップＳ９０）
【００５６】
ＭＣＵ１２２はユーザの操作に応じて基準利得を増減する。（ステップＳ１００）
【００５７】
ＭＣＵ１２２は基準利得を変数Ｘに格納する。（ステップＳ１１０）
【００５８】
選択されたスピーカーが基準スピーカーか判断する。この例ではスピーカー番号１を基準スピーカーとしている。基準スピーカーの場合は、ステップＳ１５０へ進む。基準スピーカー以外の場合はステップＳ１３０へ進む。（ステップＳ１２０）
【００５９】
ＭＣＵ１２２は、選択したスピーカー番号Ｎの利得補正値を、不揮発性メモリ１２４から読み出す。（ステップＳ１３０）
【００６０】
ＭＣＵ１２２は、不揮発メモリ１２４から読み出した利得補正値と基準利得を加算し、変数Ｘに格納する。（ステップＳ１４０）
【００６１】
ＭＣＵ１２２は、変数Ｘの値を可変利得増幅器１２１に設定する。（ステップＳ１５０）
【００６２】
図１２により不揮発性メモリ１２４に利得補正値を保存する動作を説明する。
【００６３】
ユーザーが入力装置１２３を操作して、利得補正値を設定するモードに入る。（ステップＳ１６０）
【００６４】
ユーザーが入力装置１２３を操作して、利得補正値を設定するスピーカーを選択し、可変利得増幅器１２１の利得を調整する。この時基準利得は変更しない。（ステップＳ１７０）
【００６５】
ユーザーが入力装置１２３を操作して、利得補正値を設定するスピーカーと基準スピーカーを切り替えて再生し、それぞれの再生音圧レベルを比較する。基準スピーカーを選択した時は可変利得増幅器に、基準利得を設定する。（ステップＳ１８０）
【００６６】
利得補正値を設定するスピーカーと基準スピーカーの再生音圧レベルが等しければステップＳ２００へ進む。二つのスピーカーの再生音圧レベルが異なればステップＳ１７０に戻る。（ステップＳ１９０）
【００６７】
ユーザーが入力装置１２３を操作して、利得補正値を設定するモードを終了する。（ステップＳ２００）
【００６８】
ＭＣＵ１２２が、利得補正値を設定するスピーカーを選択した時の可変利得増幅器１２１の利得と、基準利得の差を計算する。（ステップＳ２１０）
【００６９】
ＭＣＵ１２２が、演算結果を不揮発性メモリ１２４へ保存する。（ステップＳ２２０）
【００７０】
この例ではユーザーの操作により、利得補正値の設定を行っているが、ユーザーの操作によらず、マイクロフォンで再生音圧レベルを測定して自動的に利得補正値を取得しても良い。
【００７１】
上記実施の形態では、スピーカー切り替え装置により能率の異なるスピーカーの再生音圧レベルを等しくする方法およびスピーカーを切り替える瞬間に発生するノイズを低減する方法について説明した。
増幅器・スピーカー切り替え装置であっても、上記実施例と同じ方法で能率の異なるスピーカーの再生音圧レベルを等しくできること、スピーカーを切り替える瞬間のノイズを低減できることは明らかである。
また増幅器切り替えスイッチ、増幅器・スピーカー切り替えスイッチであっても上記実施の形態と同じ方法で利得の異なる増幅器での再生音圧レベルを等しくできること、増幅器を切り替える瞬間のノイズを低減できることは明らかである。
【符号の説明】
【００７２】
１１  ソース機器
１２  前置増幅器 
１３  電力増幅器
１４  スピーカー切り替え装置
１５  スピーカー選択信号
１６ａ  スピーカー
１６ｂ  スピーカー
１６ｃ  スピーカー
１２１  可変利得増幅器
１２２  ＭＣＵ
１２３  入力装置
１２４  不揮発性メモリ
１２５  出力ポート
１４１  スピーカー切り替えスイッチ
１４２  スピーカー切り替えスイッチ
１４３  スピーカー切り替えスイッチ
１４８  ＭＣＵ
【図１】
2015090990.tif 000003
【図２】
2015090990.tif 000004
【図３】
2015090990.tif 000005
【図４】
2015090990.tif 000006
【図５】
2015090990.tif 000007
【図６】
2015090990.tif 000008
【図７】
2015090990.tif 000009
【図８】
2015090990.tif 000010
【図９】
2015090990.tif 000011
【図１０】
2015090990.tif 000012
【図１１】
2015090990.tif 000013
【図１２】
2015090990.tif 000014